(57)【要約】【課題】角柱状の充填吸音具が縦列配置にして装填される橋梁ジョイント部の遊間部の雨漏りをなくすることを目的とする。【解決手段】橋梁ジョイント部の遊間に装填する充填吸音具１の長手方向の端部に、包皮３の下面に対して一端側の縁が水密に接合された遮水シート６を備えさせ、この遮水シート６を有する充填吸音具１を縦列配置にして複数個遊間２２に装填し、隣り合う充填吸音具１の遮水シート６を重ねて巻回し、その遮水シート６の巻回部の両端を下向きに曲げて橋梁２０の端部に設けられている排水溝１３に入り込ませ、排水溝１３を排水管１５に繋ぐ構造にした。【選択図】図８
2018040145.tif 000002
【特許請求の範囲】
【請求項１】
通気性、伸縮性を有する弾性充填材（２）を気密性のある包皮（３）によって密封した角柱状をなす橋梁ジョイント部の充填吸音具であって、長手方向の端部に、前記包皮（３）の下面に対して一端側の縁が水密に接合された、幅Ｗが充填吸音具の幅ｗよりも大きくて両側縁が充填吸音具の両側部から所定量側方に突出する遮水シート（６）を備える橋梁ジョイント部の充填吸音具。
【請求項２】
前記遮水シート（６）を長手方向の両端部に備える請求項１に記載の橋梁ジョイント部の充填吸音具。
【請求項３】
前記遮水シート（６）を長手方向の一端部に備える請求項１に記載の橋梁ジョイント部の充填吸音具。
【請求項４】
上部と下部の端部近傍にハトメ金具（７）を取付けた係留部材（８）を備える請求項１〜３のいずれかに記載の橋梁ジョイント部の充填吸音具。
【請求項５】
橋梁（２０）のジョイント部（２１）の遊間（２２）に、請求項１〜４のいずれかに記載の充填吸音具（１）を縦列に並べ、自己の弾性復元力で前記遊間（２２）を間にして対向した橋梁（２０）の端部に押し付けて複数装填し、さらに、隣り合う位置の充填吸音具（１）の各々が互いの突き合わせ部に備える前記遮水シート（６）を互いに重ねて包皮（３）に対する接合側とは反対側の縁を巻き始端にして巻回し、その遮水シート（６）の巻回部の両端を下向きに曲げて前記遊間（２２）を間にして対向した橋梁（２０）の端部に設けられている排水溝（１３）に入り込ませ、前記排水溝（１３）を排水管（１５）に繋いで構成される橋梁ジョイント部の止水構造。
【請求項６】
前記充填吸音具（１）の横幅方向の両側面を接着剤で橋梁（２０）の端部に接着した請求項５に記載の橋梁ジョイント部の止水構造。
【請求項７】
ジョイント部（２１）を介してつながれる２つの橋梁（２０，２０）の接続側の端部に、サポート板（１２，１２）を対向させて取り付け、その２枚のサポート板（１２，１２）間に前記遊間（２２）を作り出し、さらに、前記排水溝（１３）を、その２枚のサポート板（１２，１２）の下部にそれぞれ設けた請求項５又は６に記載の橋梁ジョイント部の止水構造。
【発明の詳細な説明】
【技術分野】
【０００１】
この発明は、高架高速道路の橋梁ジョイント部に用いる充填吸音具とそれを用いた橋梁ジョイント部の信頼性の高い止水構造に関する。
【背景技術】
【０００２】
高架高速道路は、一定長さの橋梁を一列に並べて路面が形成されている。その高架高速道路の各橋梁のジョイント部には、寒暖の差による熱伸縮を吸収するための遊間（隙間）が設けられている。
【０００３】
その遊間は、車両が橋梁のジョイント部を通過する際の騒音を外部に漏れ出させ、大きな異音を発生させる。
【０００４】
そこで、その遊間にサイレンサーボックスと称される充填吸音具を装填することが行われている。その充填吸音具は、包皮となる非通気性の袋に通気性、伸縮性を有する角柱状弾性充填材を密封したものであって、下記特許文献１〜３などに開示されている。
【０００５】
この充填吸音具は、橋梁のジョイント部の遊間幅よりも横幅を大きくしてあり、前記非通気性の袋に設けた栓付き吸排気口から脱気して横幅を縮小させ、この状態で遊間部に挿入し、吸排気口から空気を吸入して弾性復元させる。
【０００６】
これにより、充填吸音具の両側面が遊間を間にして対向した橋梁の端部に押し付けられ、圧縮された状態でジョイント部に保持されるようになっている。
【０００７】
なお、この充填吸音具は、最大長さが１２００ｍｍ程度、最小長さが１００ｍｍ程度のものが用いられており、その充填吸音具が橋梁の幅方向に複数個に並べて遊間部に装填される。
【先行技術文献】
【特許文献】
【０００８】
【特許文献１】実公昭６４−５３２０５号公報
【特許文献２】実開平２−１４８００５号公報
【特許文献３】特開２０１５−１９４０４５号公報
【発明の概要】
【発明が解決しようとする課題】
【０００９】
前記充填吸音具は、横幅方向の両側面が遊間を間にして対向した橋梁の端部に押し付けられる。また、その両側面は、橋梁の遊間に面した端面に接着剤を用いて接着することが行われている。そのため、橋梁と充填吸音具の両側面との間は水の通り道となる隙間がなく、良好な止水がなされる。
【００１０】
ところが、遊間の橋梁幅方向の両端には縦列配置の充填吸音具群の両端を突き当てる支圧部が存在しない。そのため、各充填吸音具の長手方向端部の突き合わせ面には押しつけ圧が加わらない。
【００１１】
それが原因で、高速道路の路面から遊間部に流入した雨水が遊間に装填されている充填吸音具の上に溜り、その雨水が各充填吸音具の長手方向端部の突き合わせ面間の隙間を通って橋梁の下に滴り落ちる（雨漏りする）状況が生じている。
【００１２】
その雨漏りは、橋梁の支承などを錆びつかせるなどの原因となり、橋梁の保全に支障を来たす。
【００１３】
そこで、この発明の課題は、角柱状の充填吸音具が縦列配置にして装填される橋梁ジョイント部の遊間部の雨漏りをなくすることである。
【課題を解決するための手段】
【００１４】
上記の課題を解決するため、この発明においては、下記する橋梁ジョイント部の充填吸音具と、それを用いた橋梁ジョイント部の止水構造を提供する。
【００１５】
この発明の橋梁ジョイント部の充填吸音具は、通気性、伸縮性を有する角柱状弾性充填材を気密性のある柔軟な包皮によって密封したものであって、長手方向の端部に、前記包皮の下面に対して一端側の縁が水密に接合された下記の遮水シート、即ち、横幅が充填吸音具の横幅よりも大きくて両側縁が充填吸音具の横幅方向両側部から所定長さ側方に突出する遮水シートを備えるものである。
【００１６】
前記遮水シートは、橋梁の幅方向両端部に配置される充填吸音具については、その充填吸音具の長手方向の一端部にあればよい。
【００１７】
また、橋梁の幅方向両端を除く部分（中間部）に配置される充填吸音具については、その充填吸音具の長手方向の両端部にその遮水シートを設ける。
【００１８】
なお、この充填吸音具には、隣り合う充填吸音具の吊り下げや相互連結を可能となすために、吊下用のワイヤーや結束バンドを通すハトメ金具を取付けた係留部材を、上部と下部の端部近傍に設けておくのがよい。
【００１９】
この発明の橋梁ジョイント部の止水構造は、橋梁のジョイント部の遊間に遮水シートを設けた前記充填吸音具を橋梁の横幅方向に複数個縦列配置にして装填する。
【００２０】
その装填は、充填吸音具が圧縮された状態でジョイント部に保持され、その充填吸音具の横幅方向の両側面が遊間を間にして対向した橋梁の端部に押し付けられて橋梁と充填吸音具の両側面との間は水の通り道となる隙間ができないように行い、必要に応じて、橋梁の端部に対する両側面の接着を併用する。
【００２１】
一方、前記遊間を間にして対向した橋梁の長手方向端部には、排水管に接続された排水溝を橋梁の幅方向に延ばして設ける。この排水溝は、充填吸音具を遊間に挿入した後に設置すると遊間に対する充填吸音具の挿入を支障なく行えて好ましい。
【００２２】
次に、遊間に縦列配置にして装填した充填吸音具は、隣り合う充填吸音具の互いの突き合わせ部にそれぞれ設けた２枚の前記遮水シートが並んで垂れ下がった状態になっている。
【００２３】
そこで、その２枚の遮水シートを重ね、包皮に対する接合側とは反対側の縁を巻き始端にして包皮との接合部近くまで数回巻く。そして、遮水シートの巻回部の両端（充填吸音具横幅方向の両端）を下向きに屈曲させ、前記排水溝に入り込ませる。
【００２４】
このようにして構築する止水部（止水構造）は、ジョイント部を介してつながれる２つの橋梁の接続側の端部に、対向配置されるサポート板を取り付け、そのサポート板間にジョイント部の遊間を作り出し、さらに、前記排水溝を、その２枚のサポート板の下部にそれぞれ設けると好ましい。
【発明の効果】
【００２５】
この発明の橋梁ジョイント部の充填吸音具は、長手方向の端部に包皮の下面に対して水密に接合された遮水シートを備えており、隣り合う充填吸音具に設けられた遮水シートを互いに重ねて巻くことが可能であり、その巻回により隣り合う充填吸音具間の隙間を封鎖することができる。
【００２６】
互いに重ねて巻回する２枚の遮水シート間には雨水が流入する隙間ができるが、その隙間に流入した雨水は、遮水シートを巻回したことによって巻回した遮水シートの両端から外部に流出する。
【００２７】
従って、巻回した遮水シートの両端を排水溝に入れることで、遊間に流入した雨水を、巻回した遮水シート間の隙間から排水溝に排出し、排水溝から排水管に流すことができる。これにより、橋梁ジョイント部での雨漏りを無くすことが可能になる。
【００２８】
なお、上部と下部に前記係留部材を設けた充填吸音具は、上部の係留部材を利用して遊間の上部に架線する吊下用ワイヤーに吊り下げることができる。また、下部の係留部材を利用して隣り合う充填吸音具を結束バンドで互いに連結することができ、その方法を採ることで遊間に装填した充填吸音具の保持安定性を高めることができる。
【００２９】
また、１箇所の遊間に装填する充填吸音具を吊下用ワイヤーで１つにまとめて遊間に装填する方法を採って、装填の作業性を高めることもできる。
【図面の簡単な説明】
【００３０】
【図１】この発明の充填吸音具の一例を下面側から見て示す斜視図である。
【図２】図１の充填吸音具を上面側から見て示す斜視図である。
【図３】図１の充填吸音具を長手直角に切った断面図である。
【図４】この発明の充填吸音具の橋梁ジョイント部に対する設置状態の概要を示す断面図である。
【図５】図１の充填吸音具を橋梁ジョイント部の遊間の一部に挿入して吊下ワイヤーで吊下げた状態を示す側面図である。
【図６】図５の吊下げ状態で隣り合う充填吸音具の遮水シートを重ねて巻き取った状態を示す側面図である。
【図７】隣り合う遮水シートを重ねて巻き取った後に隣り合う充填吸音具の下部を結束バンドで連結した状態を示す側面図である。
【図８】巻き取った遮水シートの両端を下向きに折り曲げて排水溝に挿入し、橋梁ジョイント部の止水処理を完了した状態を示す断面図である。
【発明を実施するための形態】
【００３１】
以下、この発明の橋梁ジョイント部の吸音性を備えた充填吸音具とそれを用いた橋梁ジョイント部の止水構造の実施の形態を添付図面の図１〜図８に基づいて説明する。
【００３２】
図１〜図３に示すように、例示の橋梁ジョイント部の充填吸音具１は、通気性、伸縮性を有する弾性充填材２を気密性のある包皮３によって密封したものであって、全体が所定長さの角柱状をなしている。
【００３３】
この充填吸音具１は、長さの異なるものが数種類準備されており、それらを適宜に組み合わせて高架高速道路の橋梁ジョイント部の遊間の全域をカバーするようにしている。
【００３４】
各充填吸音具１は、包皮３の内部に空気を出入りさせるエアーバルブ４（図１、図３参照）を下面に備えている。エアーバルブ４は、吸排気口を栓５で開閉するバルブであって、長さの長い充填吸音具については、１個の充填吸音具に対して複数個設けることがある。
【００３５】
弾性充填材２は、通気性があり、しかも伸縮弾性に優れた材料、例えば、発泡ウレタン樹脂などで形成されている。この弾性充填材２は、単一の材料で形成されたものを例示したが、複数の材料を積層したものなども用いられる。
【００３６】
複数の材料の積層構造については、前記特許文献２，３などに示されているので、ここでの詳細説明は省く。
【００３７】
単一の材料で形成された弾性充填材、複数の材料を積層した弾性充填材のどちらも全体が角柱状をなすように構成され、その角柱状弾性充填材の全面が包皮３によって覆われる。
【００３８】
包皮３は、耐候性、耐衝撃性、耐水性などに優れた通気性の無い可撓性シート、例えば、帆布に軟質合成樹脂をコーティングしたシート（樹脂引布）などが用いられている。
【００３９】
図示の充填吸音具１の長手方向の両端部には、遮水シート６が設けられている。この遮水シート６は、耐候性、耐衝撃性、耐水性などに優れた通気性の無い可撓性シート、即ち、包皮３と同様の樹脂引布などが用いられている。
【００４０】
この遮水シート６は、横幅が充填吸音具１の横幅よりも大きい。この遮水シート６の一端側の縁の、充填吸音具１の両側部からのはみ出し部を除いた箇所が、包皮３の下面に熱融着するなどして水密に接合されている。
【００４１】
遮水シート６の両側縁部は、充填吸音具１の横幅方向両側部から所定長さ側方に突出している。その突出長さは任意に設定できる。後述する排水溝１３（図８参照）までの距離が近ければその突出長さは５ｃｍ程度でも足りる。
【００４２】
なお、橋梁ジョイント部の両端に配置される充填吸音具については、遮水シート６は、片端に設ければよい。
【００４３】
図示の充填吸音具１の長手方向の両端部には、ハトメ金具７を取付けた係留部材８も設けられている。
【００４４】
この係留部材８は、遊間に縦列配置にして装填される充填吸音具１をワイヤーに吊下げて保持する目的と、隣り合う充填吸音具を互い連結する目的で設けられたものであって、充填吸音具１の上面と下面の双方に存在する。
【００４５】
なお、充填吸音具１の下面の係留部材８は、遮水シート６を避けた位置に設置されている。
【００４６】
前記係留部材８があると、図５〜図７に示すように、各充填吸音具１を吊下用ワイヤー９に吊下げて保持し、さらに、隣り合う充填吸音具１を、図７に示すように結束バンド１０で互いに連結することができる。結束バンド１０は、隣り合う充填吸音具１が突き合わされた箇所の係留部材８に設けられているハトメ金具７に通して締付けられる。
【００４７】
以上のように構成した充填吸音具１は、適切な長さを有するものが必要個数組み合わされ、それらが図４に示すように道路幅方向に並べられ、各充填吸音具１の上部に設けられた係留部材８のハトメ金具７に図５〜図７に示すように、吊下用ワイヤー９が引き通される。
【００４８】
また、図７に示すように、道路幅方向に並べた複数の充填吸音具１のうち、隣り合う位置にあるもの同士が充填吸音具１の下部に設けられた係留部材８のハトメ金具７に結束バンド１０を通してその結束バンド１０によって連結される。
【００４９】
縦列につなぐ充填吸音具１の各々は、エアーバルブ４を排気口にして内部が脱気され、脱気後に吸排気口を栓５で閉じることにより、脱気によって収縮した状態が保持される。
【００５０】
この脱気による収縮の作業と、吊下用ワイヤー９を通す作業、結束バンド１０による連結作業はいずれを先に行うかを問わない。
【００５１】
次に、吊下用ワイヤー９と結束バンド１０でつながれた充填吸音具１の群れを、各充填吸音具１の収縮状態が保持されている状況下で橋梁ジョイント部の遊間２２（図８参照）に引き入れ、必要な張力を加えた吊下用ワイヤー９の両端を、図５に示すように橋梁２０の両側部（図５は一側部のみを開示）に設けるアイボルトなどのアンカー部材１１につなぐ。
【００５２】
例示のケースでは、図８に示すように、ジョイント部２１を介してつながれる橋梁２０の接続側の端部に、予め鋼板製のサポート板１２を継ぎ目における漏水防止のためのシール処理を行って取り付け、対向配置されたそのサポート板１２，１２間にジョイント部の遊間２２を作り出している。
【００５３】
また、各サポート板１２の、遊間２２を間にして互いに向き合った面の下部に、橋梁２０の幅方向に延びる排水溝１３をそれぞれ設ける。その排水溝１３は、連結管１４を介して排水管１５につなぐ。なお、図示の排水溝１３は、充填吸音具１の群れを遊間２２に引き入れた後に、サポート板１２に金具を取り付けてその金具で構成した。
【００５４】
上記のようにして、１つにまとめた充填吸音具１の群れを遊間２２に引き入れて吊下用ワイヤー９による吊下げを完了したら、エアーバルブ４を開いて収縮している充填吸音具１を吸排気口からの吸気により弾性復元させて膨張させる。
【００５５】
これにより、充填吸音具１の両側面が遊間２２を間にして対向したサポート板１２に押し付けられ、サポート板１２と充填吸音具１の側面との間の隙間が封鎖される。
【００５６】
必要に応じて、１つにまとめた充填吸音具１の群れを遊間２２に引き入れる前に、充填吸音具１の両側面とサポート板１２の充填吸音具をはさみつける面のどちらかに接着剤が塗布され、この場合には、充填吸音具１の側面側の止水がより確実になされる。
【００５７】
以上の作業を終えたら、隣り合う充填吸音具１の突き合わせ部に垂れ下がっている遮水シート６の処理を行う。その遮水シート６は、隣り合う充填吸音具１に設けた２枚を重ね、包皮３に対する接合側とは反対側の縁を巻き始端にして図６に示すように、包皮３との接合部近くまで数回巻く。
【００５８】
その後、この遮水シート６の巻回部の両端（充填吸音具横幅方向の両端Ｅ）を図８に示すよう下向きに屈曲させ、各サポート板１２に設ける排水溝１３に入り込ませる。
【００５９】
以上で、橋梁ジョイント部の止水処理が完了する。
【００６０】
以上のようにして構築されるこの発明の止水構造によれば、高架高速道路の路面から橋梁ジョイント部の遊間２２に流入した雨水が、互いに重ねて巻回した隣り合う充填吸音具の遮水シート６，６間の隙間にしみいるように流入する。
【００６１】
遮水シート６，６間の隙間に流入した雨水は、巻回した遮水シートの両端しか出口がないためその両端から外部に流出する。
【００６２】
巻回した遮水シートの両端は、排水溝１３に入り込んでおり、そのため、遮水シート間の隙間に流入して遮水シート巻回部の両端から流出した雨水は排水溝１３に取り込まれ、排水溝１３から連結管１４を経由して排水管１５に排水される。
【００６３】
このように、この発明の止水構造によれば、橋梁ジョイント部に流入した雨水は流出先がコントロールされて排水管に流れ、これにより、橋梁ジョイント部での雨漏りを無くすことが可能になる。
【符号の説明】
【００６４】
１          充填吸音具
２          弾性充填材
３          包皮
４          エアーバルブ
５          栓
６          遮水シート
７          ハトメ金具
８          係留部材
９          吊下用ワイヤー
１０        結束バンド
１１        アンカー部材
１２        サポート板
１３        排水溝
１４        連結管
１５        排水管
２０        橋梁
２１        ジョイント部
２２        遊間
【図１】
2018040145.tif 000003
【図２】
2018040145.tif 000004
【図３】
2018040145.tif 000005
【図４】
2018040145.tif 000006
【図５】
2018040145.tif 000007
【図６】
2018040145.tif 000008
【図７】
2018040145.tif 000009
【図８】
2018040145.tif 000010